(57)【要約】【課題】両遮断部可動部分を共通の絶縁操作ロッドで操作するとき、絶縁操作ロッドの軸線に対して直行する方向に分力が発生し、リンク機構の一部を案内するガイド面が異常摩耗するのを防止して長寿命化を計ったガス遮断器用操作機構を提供する。【解決手段】絶縁操作ロッド５と両リンク機構を連結する連結ピン６に、ガイド長溝１４によって形成したガイド面１４ａに面接触したスライド１５を設け、絶縁操作ロッド５の軸線に沿って駆動したとき、この軸線に対して直角方向の分力が発生してもガイド面１４ａにスライド１５が面接触するようにした。【選択図】図１
2010232032.tif 000002
【特許請求の範囲】
【請求項１】
二つの遮断部可動部分を開閉動作可能に支持したブラケットと、その一端側に連結した操作器によってその軸方向に駆動される共通の絶縁操作ロッドと、この絶縁操作ロッドの他端側と前記各遮断部可動部分とをそれぞれ連結したリンク機構とを設け、前記両リンク機構と前記絶縁操作ロッド間を連結する共通の連結ピンを前記ブラケットに形成したガイド面に沿って案内するように構成したガス遮断器用操作機構において、前記連結ピンに取り付けたスライダを設け、このスライダは、前記ガイド面に可摺動的に面接触した平面を有して構成したことを特徴とするガス遮断器用操作機構。
【発明の詳細な説明】
【技術分野】
【０００１】
本発明はガス遮断器用操作機構に係り、特に操作力が大きい大容量ガス遮断器用操作機構に関するものである。
【背景技術】
【０００２】
二つの遮断部を共通の操作器によって開閉操作するように構成した大容量ガス遮断器では、それぞれの遮断部可動部分を対向して配置すると共に、それぞれの遮断部可動部分に連結したリンク機構を設け、大地側に配置した共通操作器と両リンク機構間を共通の絶縁操作ロッドを介して連結するようにした構成が知られている（例えば、特許文献１を参照）。このような構成の場合、操作器によって絶縁操作ロッドをその軸方向に駆動して、両リンク機構を介して両遮断部可動部分を開閉駆動することになる。また遮断部の大型化に伴う重量の増加によって、より大きい操作力を発生する操作器となり、絶縁操作ロッドと遮断部可動部分間を連結する操作機構もより強固に構成する必要がある。
【先行技術文献】
【特許文献】
【０００３】
【特許文献１】特開平５−３１４８７２号公報
【発明の概要】
【発明が解決しようとする課題】
【０００４】
ところで、リンク機構などにおいては、動作方向を案内するガイド長溝内に可摺動的な関係で連結ピンを係合したり、この連結ピンに可回転的なガイドローラを設けてガイド機構を構成することが行われており、このガイド機構を上述した大容量ガス遮断器用の操作機構に採用することが考えられる。しかしながら、大容量ガス遮断器用の操作機構に上述したガイド機構を採用した場合、ガイドローラの外周はガイド長溝のガイド面に点接触しているため、始動摩擦を軽減して摺動部の摩耗を抑制できると考えられるが、実際には、両遮断部可動部分やリンク機構を全く同一に製作しようとしても製作誤差などによって偏りが生じ、共通の絶縁操作ロッドをその軸方向に駆動して操作力を伝達しても、この絶縁操作ロッドの軸線に対して直行する方向に分力が発生し、ガイドローラと点接触したガイド面が異常摩耗してしまうことが分かった。
【０００５】
本発明の目的は、ガイド機構における摺動部の異常磨耗を防止して長寿命化を計ったガス遮断器用操作機構を提供することにある。
【課題を解決するための手段】
【０００６】
本発明は上記目的を達成するために、二つの遮断部可動部分を開閉動作可能に支持したブラケットと、その一端側に連結した操作器によってその軸方向に駆動される共通の絶縁操作ロッドと、この絶縁操作ロッドの他端側と前記各遮断部可動部分とをそれぞれ連結したリンク機構とを設け、前記両リンク機構と前記絶縁操作ロッド間を連結する共通の連結ピンを前記ブラケットに形成したガイド面に沿って案内するように構成したガス遮断器用操作機構において、前記連結ピンに取り付けたスライダを設け、このスライダは、前記ガイド面に可摺動的に面接触した平面を有して構成したことを特徴とする。
【発明の効果】
【０００７】
本発明のガス遮断器用操作機構によれば、ガイド面へ可摺動的に面接触するスライダを設けたため、絶縁操作ロッドの動作軸線に対して直行する方向の分力が発生してもスライダはガイド面に面接触し、面圧を許容値以下に抑えることができるので、ガイド面の異常磨耗が軽減されて長寿命化が図られ、また同摺動部から金属粉が発生するのを抑制することができるので、この金属粉が課電部と密閉タンク間の絶縁を保持している絶縁性ガスに対して悪影響を及ぼして絶縁耐力が低下するのを防ぐことができる。
【図面の簡単な説明】
【０００８】
【図１】図１は、本発明の一実施の形態によるガス遮断器用操作機構を示す正面図である。
【図２】図１に示したガス遮断器用操作機構の一部を断面した正面図である。
【図３】図２に示したガス遮断器用操作機構の要部を拡大した斜視図である。
【発明を実施するための形態】
【実施例１】
【０００９】
以下に、本発明の実施の形態を図面に基づいて説明する。
図２は、本発明の一実施の形態によるガス遮断器用操作機構の要部を示す正面図である。絶縁性ガスを封入した図示しない密閉タンク内には、絶縁支持筒１によって密閉タンクから電気的に絶縁して支持固定したブラケット２を有し、このブラケット２の左右側に遮断部可動部分を支持している。例えばパッファ型遮断部では、遮断部可動部分であるパッファシリンダ３を可摺動的に支持するピストン４を固定して二点切りを構成している。密閉タンク外には図示しない操作器が配置され、密閉タンクの気密を保持しながら操作器からの操作力を伝達する操作系の途中に操作器に一端側を連結した共通の絶縁操作ロッド５を配置している。この絶縁操作ロッド５の他端はブラケット２の近傍に位置しており、この他端には詳細を後述するリンク機構を介して遮断部可動部分、例えばパッファシリンダ３を連結している。この絶縁操作ロッド５によって、操作器および密閉タンクと遮断部可動部分との間の電気的な絶縁を保持しながら、操作器から遮断部可動部分へ操作力を伝達するようにしている。
【００１０】
ブラケット２は、種々の形状と構造を採用することができるが、ここでは、例えば所定の距離を隔てて対向配置した一対の板状部材を適当な位置で結合することによって、板状部材間に両リンク機構を収納するようにしている。このリンク機構中にはレバーの回転軸などが組み込まれており、この回転軸などをブラケット２の一対の板状部材間に可回転的に支持するようにしている。
【００１１】
同図は、２点切りのガス遮断器を示しており、遮断部の構成は勿論、絶縁操作ロッド５からパッファシリンダ３までのリンク機構は左右対象でほぼ同一構成であるから、ここでは片方のリンク機構についてのみ説明する。絶縁操作ロッド５の上方部端には共通の連結ピン６を用いてリンク７の一端を連結し、リンク７の他端は連結ピン８を用いて方向変換用の三角形レバー９に連結している。詳細な説明を省略した他方のリンク機構も上述した共通の連結ピン６を用いて絶縁操作ロッド５に連結している。三角形レバー９はブラケット２へ回転軸１０によって可回転的に支持している。さらに三角形レバー９には連結ピン１１を用いてリンク１２の一端を連結し、このリンク１２の他端には連結ピン１３を用いてパッファシリンダ３のシャフトを連結している。
【００１２】
図２に示した状態から、図示しない操作器によって絶縁操作ロッド５をその軸線上に沿って下方の遮断方向へ駆動すると、リンク７を介して三角形レバー９を回転軸１０を中心にして時計方向へ回転して、操作力の伝達方向を変換した後、リンク１２を介してパッファシリンダ３を水平方向の右方へ駆動する。パッファ型遮断部では、パッファシリンダ３の右方への移動によってピストン４とで形成したパッファ室と呼ばれる空間内の絶縁性ガスを圧縮し、このガスを図示しない固定接触子と可動接触子間の開離によって発生したアークに吹き付けて消弧し、電流遮断を行っている。
【００１３】
このような遮断操作を行う場合、大きなエネルギの電流遮断を行うために操作器は大きな操作力で遮断部可動部を高速駆動する必要がある。特に、パッファ型ガス遮断器では、電流遮断時にパッファ室内の絶縁性ガスを圧縮して吹き付ける構成であるため、初期加速度が大きく、また大きな操作力を出力する操作器が使用される。高速で大きな操作力を遮断部可動部へ正確に伝達するために、特に、絶縁操作ロッド５と遮断部可動部間を機械的に連結したリンク機構には振動も加わり、これがリンク機構を構成する各部品に対して悪影響を与えないようにするために、操作系の一部を案内するガイド機構が設けられる。次に、このガイド機構について説明する。
【００１４】
図３は、絶縁操作ロッド５の上方部端に連結した連結ピン６を用いて構成したガイド機構の一部を示す斜視図である。
絶縁操作ロッド５の上端部には共通の連結ピン６が挿入されており、絶縁操作ロッド５の両側方にそれぞれ配置したリンク７ａの一端間をこの連結ピン６によって機械的に連結している。一対のリンク７ａの他端間も他の連結ピン８ａによって機械的に連結すると共に、この連結ピン８ａを利用して三角形レバー９ａを一対のリンク７ａ間挟むように連結している。また絶縁操作ロッド５の両側方には、リンク７ａと同様にそれぞれリンク７ｂを配置し、この一対のリンク７ｂの一端間を同じ連結ピン６によって連結しており、この一対のリンク７ｂの他端間を連結ピン８ｂによって機械的に連結すると共に、この連結ピン８ｂを利用して三角形レバー９ｂを一対のリンク７ｂ間に挟むように連結している。三角形レバー９ａは図１における左方の遮断部可動部分に連結し、一方、三角形レバー９ｂは図１における右方の遮断部可動部分に連結している。左右の両遮断部可動部分に対して共通となる連結ピン６の両端部には、詳細を後述するスライダ１５を取り付けている。
【００１５】
図１は、上述したリンク機構を収納したブラケット２を断面しないで示している。
ブラケット２の側部には、図２および図３に示した絶縁操作ロッド５とリンク７間を連結した共通の連結ピン６に対応した位置に縦方向に延びたガイド長溝１４を形成して、一対のガイド面１４ａを形成している。このガイド長溝１４内には連結ピン６に連結したスライダ１５が配置され、ガイド面１４ａに沿ってスライダ１５が面接触しながら摺動するようにしてガイド機構を構成している。
【００１６】
ガイド長溝１４の軸長は、連結ピン６に連結したスライダ１５の遮断時および投入時における動作範囲に対応している。ガイド長溝１４内にスライダ１５を嵌合して、絶縁操作ロッド５とリンク７間を連結した連結ピン６の動作方向をガイド面１４ａに沿って規制すると、図示しない操作器によって絶縁操作ロッド５をその軸方向に駆動するとき、少なくとも絶縁操作ロッド５の上端部はその軸線上を駆動するように案内されることになる。
【００１７】
具体的には、図１および図２に示した遮断部の投入状態で、連結ピン６はガイド長溝１４の上方部に位置している。この投入状態から絶縁操作ロッド５をその軸線上で下方の遮断方向へ駆動すると、スライダ１５はその両側面をガイド長溝１４を形成しているブラケット２のガイド面１４ａに面接触しながら下方へ摺動する。この遮断動作において絶縁操作ロッド５からの操作力は、左右対称に構成されたそれぞれのリンク機構を介して水平方向に変換されて遮断部可動部に伝達される。左右対象のリンク機構が完全に対称で、かつ遮断部で発生する負荷が全く同一であれば、共通の連結ピン６には水平方向の分力が発生しない。しかし、製作公差や遮断動作タイミングのずれなどで水平分力が発生するが、このときスライダ１５は、水平分力を受けてもその側面が一方のガイド面１４ａに押し付けられ面接触しながら移動する。
【００１８】
スライダ１５は、ローラとは異なり図示の例では立方体であり、少なくともガイド面１４ａに面接触する両側平面を有しているため、両者の摺動面はローラの場合よりも増大し、水平分力が生じても面接触により面圧を許容値以下に抑えられ、ガイド面１４ａの磨耗が軽減される。
【００１９】
前述したように、従来においては連結ピン６に可回転的に円形のガイドローラを取り付け、ガイド長溝１４のガイド面１４ａをガイドローラが回転しながら移動するようにし、つまり点接触によって始動摩擦抵抗の低減を図っていたが、ガイドローラではガイド長溝１４のガイド面１４ａとの接触が点接触であり、上述した水平分圧が発生するとガイド面１４ａの磨耗が著しくなる。このため、動作の円滑性を欠き、加えて異常磨耗の際に金属粉が発生して絶縁耐力が低下するという問題もあった。
【００２０】
しかしながら、このガイドローラを上述したように少なくともガイド面１４ａに可摺動的な両側平面を有したスライダ１５としたため、絶縁操作ロッド５をその軸方向に駆動した際に同軸方向に対して直交する方向に分力が発生してもスライダ１５はガイド面１４ａに面接触することになり、面圧を許容値以下に抑えることができる。このため、ガイド面１４ａの異常磨耗が軽減され、同摺動部から金属粉が発生するのを抑制し、この金属粉が課電部と密閉タンク間の絶縁を保持している絶縁性ガスに対して悪影響を及ぼして絶縁耐力が低下するのを防ぐことができる。
【００２１】
上述したガス遮断器用操作機構では、ブラケット２の板状部材を貫通したガイド長溝１４を形成することによって一対のガイド面１４ａを得たが、溝以外の構成によってガイド面１４ａを形成するようにしても同様の効果を得ることができる。
【産業上の利用可能性】
【００２２】
本発明によるガス遮断器用操作機構は、図２に示したリンク機構に限らず他の構成のものにも適用することができる。
【符号の説明】
【００２３】
１    絶縁支持筒
２    ブラケット
３    パッファシリンダ
４    ピストン
５    絶縁操作ロッド
６    連結ピン
７    リンク
８    連結ピン
９    三角形レバー
１０    回転軸
１１    連結ピン
１２    リンク
１３    連結ピン
１４    ガイド長溝
１４ａ    ガイド面
１５    スライダ
【図１】
2010232032.tif 000003
【図２】
2010232032.tif 000004
【図３】
2010232032.tif 000005